(57)【要約】【課題】おんぶ紐使用時に背負う人の胸元を隠し、抱っこ紐使用時に防寒機能が高く、ベビーカーに装着できる育児用防寒具を提供しようとするものである。【解決手段】本体１と一体となるよう上向きに角度をつけて裁断した肩帯２と合わせ部３を左右対称に設け、左右の肩帯２と合わせ部３を交差して固定する構造の育児用防寒具である。【選択図】図１
2010001573.tif 000002
【特許請求の範囲】
【請求項１】
本体１は左右対称の布であり、本体１上部に肩帯２と本体１中部に合わせ部３を本体１と一体となるよう上向きに角度をつけて裁断して設け、肩帯２と合わせ部３を交差し、係止部２aと係止部３aを固定し装着することを特徴とする育児用防寒具。
【請求項２】
本体１中心に分離手段６を設け、開閉することを特徴とする請求項１記載の育児用防寒具。
【請求項３】
分離手段６に保護部材５を付属させたことを特徴とする請求項１または請求項２記載の育児用防寒具。
【請求項４】
保護部材５を係止部４で本体１と固定することを特徴とする請求項３記載の育児用防寒具。
【請求項５】
おんぶ時に肩帯２と合わせ部３を背負う人Ｂの胸元で交差し、係止部２aと係止部３aを固定し、背負う人Ｂの胸部を隠す事を特徴とする請求項１から４記載の育児用防寒具の使用方法。
【請求項６】
抱っこ時に本体１中心の分離手段６を開閉し着脱することを特徴とする請求項１から４記載の育児用防寒具の使用方法。
【請求項７】
ベビーカーの座面９後方で肩帯２と合わせ部３を交差し、係止部２aと係止部３aを固定でき、本体１中心の分離手段６を開閉して幼児Ａを乗降することを特徴とする請求項１から４記載の育児用防寒具の使用方法。
【発明の詳細な説明】
【技術分野】
【０００１】
本発明は、異なる使用目的で兼用することのできる育児用防寒具に関するものである。
【背景技術】
【０００２】
図１０が示す従来のおんぶ用防寒具は、図１１が示すよう本体１１を幼児Ａの背中にあて、背負う人Ｂの胸元で止め紐１２を交差し、くぐし輪１３に通した後その両端を腹部で結び固定する構造である。
図１２が示す従来の抱っこ用防寒具は、幼児Ａのみに本体１６を装着させる構造である。
図１３が示す従来のベビーカー用防寒具は、幼児Ａのひざに本体１７を掛ける構造である。
【特許文献１】実用新案登録第２５８６３７６号公報
【発明の開示】
【発明が解決しようとする課題】
【０００３】
図１０が示す従来のおんぶ用防寒具の構造では、図１１が示すように交差された止め紐１２によって背負う人Ｂの胸が圧迫され広がって見える。特に授乳期の母親は胸が大きくなっており、必要以上に目立つ胸を恥ずかしく感じる。
【０００４】
止め紐１２を交差させ、くぐし輪１３に通し、結ぶというように着脱の手順が多く、結んで固定するため止め紐１２が緩んだり解けたりすることもあり、更に先に着用したおんぶ紐も同じように腹部で止め紐を結び固定する構造の場合、２つの止め紐の結び目が重なり引っ掛かりやすく動作の妨げになる。
【０００５】
止め紐が肩にくいこみ、不快感がある。
【０００６】
使用頻度の低いフード１４はかさばり、洗濯時に乾燥し難く、携帯時には止め紐１２が長く絡まりやすい為に不便である。
【０００７】
着用時にポケット１５が体の後ろにあるため不便である。
【０００８】
図１２が示す従来の抱っこ用防寒具は本体１６で幼児Ａのみを包み込む構造のものが多く、抱っこする人Ｃと幼児Ａの密着度が少なく、防寒機能が低い。
【０００９】
図１３が示す従来のベビーカー用防寒具は本体１７を幼児Ａのひざに掛けるため、足の動きによってずり落ちることがあり、ずり落ちた本体１７の端が車輪に絡まり走行を妨げる恐れがある。
【００１０】
防寒具を装着するかしないかで幼児の体温調節をするので、頻繁に体温調節しづらい。
【００１１】
幼児Ａをベビーカーに乗降させる度に本体１７とベビーカーを装着しなおす必要がある。    
【００１２】
従来の育児用防寒具は使用目的に合わせて複数購入する必要があり経済的ではなく、使用目的に合わせ異なる育児用防寒具を用意するため、外出時の荷物も多くなり、それぞれに保管スペースの確保が必要である。
【００１３】
また、妊娠出産に伴う体型の崩れに悩む母親は非常に多いにもかかわらず、体型を補整して見せるデザインの育児用防寒具は希有である。
【００１４】
本発明は以上のような現状から解決すべき課題について試行錯誤し、以下において詳述するとおりの簡易で機能的な育児用防寒具を実現し提供しようとするものである。
【課題を解決するための手段】
【００１５】
以上の課題を解決するために、請求項１記載の発明の本体１は左右対称の布であり、本体１上部に肩帯２と本体１中部に合わせ部３を本体１と一体となるよう上向きに角度をつけて裁断して設け、肩帯２と合わせ部３を交差し、係止部２aと係止部３aを固定し装着することを特徴とする育児用防寒具である。
【００１６】
請求項２記載の発明は、本体１中心に分離手段６を設け、開閉することを特徴とする育児用防寒具である。
【００１７】
請求項３記載の発明は、分離手段６に保護部材５を付属させたことを特徴とする育児用防寒具である。
【００１８】
請求項４記載の発明は、保護部材５を係止部４で本体１と固定することを特徴とする育児用防寒具である。
【００１９】
請求項５記載の発明は、おんぶ時に肩帯２と合わせ部３を背負う人Ｂの胸元で交差し、係止部２aと係止部３aを固定し、背負う人Ｂの胸部を隠すことを特徴とする育児用防寒具である。
【００２０】
請求項６記載の発明は、抱っこ時に本体１中心の分離手段６を開閉し着脱することを特徴とする育児用防寒具である。
【００２１】
請求項７記載の発明は、ベビーカーの座面９後方で肩帯２と合わせ部３を交差し、係止部２aと係止部３aを固定でき、本体１中心の分離手段６を開閉して幼児Ａを乗降することを特徴とする育児用防寒具である。
【発明の効果】
【００２２】
本発明の育児用防寒具は従来の育児用防寒具の解決すべき課題を極めて簡潔な構造で解決し改善したものである。
【００２３】
請求項１記載の発明によれば、本体１上部に肩帯２と本体１中部に合わせ部３を本体１と一体となるよう上向きに角度をつけて裁断して設け、肩帯２と合わせ部３を交差し、係止部２aと係止部３aを固定し装着する構造により、請求項５から７記載の異なる使用方法で兼用することを可能とした。
【００２４】
請求項２記載の発明によれば、図１が示すよう本体１中心に分離手段６を設け、開閉することにより、請求項１記載の発明を請求項５から７記載の発明で兼用することができる。
【００２５】
請求項３記載の発明によれば、分離手段６に保護部材５を付属させることにより、幼児Ａの頭部に分離手段６が当たらず、安全に使用できる。
【００２６】
請求項４記載の発明によれば、保護部材５を係止部４で本体１と固定することにより、分離手段６の閉時に接合部を補強することができる。
【００２７】
請求項１から４記載の発明によれば、図２と図７と図９のようにおんぶ時と抱っこ時とベビーカー乗車時のいずれにも使用することを可能としたことにより、複数の防寒具を購入する必要がなく、非常に経済的であり、外出時の荷物の軽減と保管スペースの削減につながる。
【００２８】
請求項５記載の発明によれば、図２が示すよう請求項１記載の発明をおんぶ時に着用した場合、背負う人Ｂの胸部を隠すことができる。
【００２９】
請求項６記載の発明によれば、図６が示すように請求項１記載の発明を抱っこ時に着用した場合、請求項２記載の発明で設けた分離手段６が大きく開閉するため着脱が容易である。
【００３０】
請求項７記載の発明によれば、図８が示すように請求項１記載の発明をベビーカーに装着した場合、請求項２記載の発明で設けた分離手段６が大きく開閉するため、ベビーカーに本体１を装着したまま幼児Ａの乗降が可能である。
【００３１】
機能性だけでなくファッション性も重視した構造のため、出産後の体型の崩れを気にし外出に消極的になりがちな母親も本発明を着用することで幼児との外出に積極的になり、より明るく前向きに育児を行うことができる。
【００３２】
以上のことからも本発明は育児中の親にとってきわめて好都合の育児用防寒具として高く評価されるものになると予想される。
【発明を実施するための最良の形態】
【００３３】
請求項１から４まで記載の発明の形態を図１に示す。
【００３４】
本体１は左右対称の布であり、本体１上部に肩帯２と本体１中部に合わせ部３を本体１と一体となるよう上向きに角度をつけて裁断して設ける。
【００３５】
本体１は布であるが、例えばビニールやレザーなどでも良い。但しこれに限定されるものではなく、要するに服地として使用できるものであればよい。
【００３６】
肩帯２と合わせ部３は上向きに角度をつけて裁断されているが、着用する人の体型等により角度は変化する。
【００３７】
係止部２aと係止部３aは、例えばボタン類、ファスナー類、紐などでも良い。但しこれに限定されるものではなく、要するに係止できるものであればよい。
【００３８】
分離手段６は、例えばボタン類、ファスナー類などでもよい。但しこれに限定されるものではなく、要するに分離できるものであればよい。
【００３９】
分離手段６は図１が示すよう着脱に支障のない長さまでのあき止まりで設けても、本体１を完全に分離できるよう長く設けてもよい。
【００４０】
保護部材５は、例えば布、ビニール、レザー、クッション材などでもよい。但しこれに限定されるものではなく、要するに保護できるものであればよい。
【００４１】
保護部材５は、図１が示すよう片側を本体１に縫い付けて片側のみを係止部４で本体１と固定しても、独立した部品として本体１右と本体１左を係止部４で固定してもよい。
【００４２】
保護部材５と本体１を固定する係止部４は、例えばファスナー類、ボタン類などでもよい。但しこれに限定されるものではなく、要するに係止することができればよい。
【００４３】
図１０のフード１４と止め紐１２を無くし、本体１と一体となるよう裁断された肩帯２と合わせ部３を設けた簡潔な構造のため、絡まり難く洗濯等の日常の手入れが簡易で清潔な状態を保つことが容易であり、小さく収納することが可能となった。
【００４４】
図２から図４が示す請求項５記載の発明によれば、おんぶ時の着用は本体１を幼児Ａの背中に当て、背負う人Ｂの胸元で肩帯２と合わせ部３を交差させ係止部２aと係止部３aで固定する。
【００４５】
図２が示すよう請求項１記載の発明をおんぶ時に着用した場合、本体１の肩帯２と合わせ部３を背負う人Ｂの胸元で交差することにより、背負う人Ｂの胸部が隠される。
【００４６】
胸元で肩帯２と合わせ部３を交差して係止部２aと係止部３aを固定するので着脱の手順が少なく容易になる。
【００４７】
肩帯２を設けたことにより肩への食い込みを防ぐことができる。
【００４８】
また、仮に先に着用したおんぶ紐が腹部で止め紐を結び固定する構造の場合でも、その結び目が合わせ部３の内側になるため引っ掛かりを防ぐことができる。
【００４９】
図５から図７に示す請求項６記載の発明によれば、抱っこ時の着用は着時に本体１中心の保護部材５と分離手段６を開き、体前面で肩帯２と合わせ部３を交差し係止部２aと係止部３aで固定した後、交差部を抱っこする人Ｃの背中に回し、肩帯２を抱っこする人Ｃの肩に掛け、図７のように背中中心に交差部をもってくる。
【００５０】
この時、抱っこする人Ｃの体前面は図６の状態であり、幼児Ａの背中中心で分離手段６を閉じ、保護部材５を係止部４で本体１と固定する。
【００５１】
脱時はこれと逆の手順で行う。
【００５２】
上記のように、請求項２記載の発明で設けた分離手段６が大きく開閉することにより体前面で係止部２aと係止部３aを固定することができるため着脱が容易である。
【００５３】
図８と図９が示す請求項７記載の発明によれば、請求項１記載の発明をベビーカーに装着した場合、本体１をベビーカー前方のセーフティガード１０に掛け、肩帯２を押し手８の内側から後方に回し、合わせ部３を押し手８の外側から後方に回し、座面９後方で交差させ係止部２aと係止部３aを図９のように固定する。
【００５４】
幼児Ａの乗降は、本体１中心の保護部材５と分離手段６を開閉して行う。
【００５５】
ベビーカー前方のセーフティガード１０の上から本体１を掛けることで、本体１が幼児Ａの体を覆い幼児Ａの体が前方に飛び出すことを防ぐ。また、本体１と幼児Ａの間に空間ができるため幼児Ａの足に本体１が絡まり難い。
【００５６】
図９のように肩帯２を押し手８の内側から回し、合わせ部３を押し手８の外側から回し、座面９後方で交差させ係止部２aと係止部３aを固定するためずり落ち難く、請求項２記載の発明で設けた分離手段６が大きく開閉するため、ベビーカーに本体１を装着したまま幼児Ａの乗降が可能である。
【００５７】
本体１中心下部は、合わせ部３を上向きに角度をつけて裁断した際もっとも長くなっているため、幼児Ａの足を包むように内側に折り曲げ防寒機能を高めることができ、分離手段６を開けたり、本体１下部をセーフティガード１０の上に持ち上げる等することにより、ベビーカーに装着したままで幼児Ａの体温調節をすることが可能である。
【００５８】
図３と図５が示すように幼児Ａと背負う人Ｂおよび抱っこする人Ｃが一体となって本体１に包み込まれるため密着度が増し、防寒機能が高くなり、使用しやすい位置にポケット７を設けることができる。
【００５９】
さらに、図１０のフード１４を無くし、体にフィットする構造を用いたため、おんぶ時や抱っこ時に本体１の上からママコート等を着用することができ、さらに防寒機能を高め、幼児Ａの体温調節が容易にできる。
【００６０】
幼児Ａがおんぶ時や抱っこ時に眠ってしまっても、本体１と一体となるよう肩帯２が裁断されているため、幼児Ａの頭部を面でささえることができる。
【００６１】
本体１上部に肩帯２と本体１中部に合わせ部３を本体１と一体となるよう上向きに角度をつけて左右対称に裁断したことにより、背負う人Ｂおよび抱っこする人Ｃの体にフィットし腕も動かしやすく、合わせ部３が上向きに角度をつけて裁断されたことにより、背負う人Ｂおよび抱っこする人Ｃの足さばきが良くなり体の重心が上がって見え、胸部、腹部、尻部が隠され体型を補整して見せる。
【図面の簡単な説明】
【００６２】
【図１】本発明の平面図
【図２】本発明のおんぶ時着用状態を示す正面図
【図３】本発明のおんぶ時着用状態を示す斜視図
【図４】本発明のおんぶ時着用状態を示す背面図
【図５】本発明の抱っこ時着用状態を示す斜視図
【図６】本発明の抱っこ時着用状態で分離手段を全開にした正面図
【図７】本発明の抱っこ時着用状態を示す背面図
【図８】本発明のベビーカー装着状態を示す斜視図
【図９】本発明のベビーカー装着状態を示す背面図
【図１０】従来のおんぶ時防寒具の平面図
【図１１】従来のおんぶ時防寒具着用状態を示す正面図
【図１２】従来の抱っこ時防寒具着用状態を示す斜視図
【図１３】従来のベビーカー用防寒具装着状態を示す斜視図
【符号の説明】
【００６３】
１;本体    
２;肩帯    
２a;係止部    
３;合わせ部    
３a;係止部    
４;係止部
５;保護部材    
６;分離手段    
７;ポケット    
８;押し手    
９;座面
１０;セーフティガード    
１１;本体    
１２;止め紐    
１３;くぐし輪
１４;フード    
１５;ポケット    
１６;本体    
１７;本体
Ａ;幼児    
Ｂ;背負う人    
Ｃ;抱っこする人
【図１】
2010001573.tif 000003
【図２】
2010001573.tif 000004
【図３】
2010001573.tif 000005
【図４】
2010001573.tif 000006
【図５】
2010001573.tif 000007
【図６】
2010001573.tif 000008
【図７】
2010001573.tif 000009
【図８】
2010001573.tif 000010
【図９】
2010001573.tif 000011
【図１０】
2010001573.tif 000012
【図１１】
2010001573.tif 000013
【図１２】
2010001573.tif 000014
【図１３】
2010001573.tif 000015
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
本体１は左右対称の布であり、本体１上部に肩帯２と本体１中部に合わせ部３を本体１と一体となるよう上向きに角度をつけて裁断して設け、左右の肩帯２と合わせ部３を交差し、係止部２aと係止部３aを固定し、おんぶ時にはその固定した交差部が背負う人Ｂの胸部を隠す事を特徴とする育児用防寒具。
【手続補正２】
【補正対象書類名】明細書
【補正対象項目名】全文
【補正方法】変更
【補正の内容】
【発明の詳細な説明】
【技術分野】
【０００１】
本発明は、異なる使用目的で兼用することのできる育児用防寒具に関するものである。
【背景技術】
【０００２】
図１０が示す従来のおんぶ用防寒具は、図１１が示すよう本体１１を幼児Ａの背中にあて、背負う人Ｂの胸元で止め紐１２を交差し、くぐし輪１３に通した後その両端を腹部で結び固定する構造である。
【０００３】
図１２が示す従来の抱っこ用防寒具は、幼児Ａのみに本体１６を装着させる構造である。
図１３が示す従来のベビーカー用防寒具は、幼児Ａのひざに本体１７を掛ける構造である。
【特許文献１】実用新案登録第２５８６３７６号公報
【発明の開示】
【発明が解決しようとする課題】
【０００４】
図１０が示す従来のおんぶ用防寒具の構造では、図１１が示すように胸元で交差された止め紐１２によって背負う人Ｂの胸が圧迫され広がって見える。特に授乳期の母親は胸が大きくなっており、必要以上に目立つ胸を恥ずかしく感じる。
【０００５】
止め紐１２を交差させ、くぐし輪１３に通し、結ぶというように着脱の手順が多く、結んで固定するため止め紐１２が緩んだり解けたりすることもあり、更に先に着用したおんぶ紐も同じように腹部で止め紐を結び固定する構造の場合、２つの止め紐の結び目が重なり引っ掛かりやすく動作の妨げになる。
止め紐が肩にくいこみ、不快感がある。
使用頻度の低いフード１４はかさばり、洗濯時に乾燥し難く、携帯時には止め紐１２が長く絡まりやすい為に不便である。
着用時にポケット１５が体の後ろにあるため不便である。
【０００６】
図１２が示す従来の抱っこ用防寒具は本体１６で幼児Ａのみを包み込む構造のものが多く、抱っこする人Ｃと幼児Ａの密着度が少なく、防寒機能が低い。
図１３が示す従来のベビーカー用防寒具は本体１７を幼児Ａのひざに掛けるため、足の動きによってずり落ちることがあり、ずり落ちた本体１７の端が車輪に絡まり走行を妨げる恐れがある。
防寒具を装着するかしないかで幼児の体温調節をするので、頻繁に体温調節しづらい。
【０００７】
従来の育児用防寒具は使用目的に合わせて複数購入する必要があり経済的ではなく、使用目的に合わせ異なる育児用防寒具を用意するため、外出時の荷物も多くなり、それぞれに保管スペースの確保が必要である。
本発明は以上のような現状から解決すべき課題について試行錯誤し、以下において詳述するとおりの簡易で機能的な育児用防寒具を実現し提供しようとするものである。
【課題を解決するための手段】
【０００８】
以上の課題を解決するために、本発明の請求項１記載の本体１は左右対称の一枚の布であり、本体１上部に肩帯２と本体１中部に合わせ部３を本体１と一体となるよう上向きに角度をつけて裁断して設け、異なる使用方法に兼用する場合も左右の肩帯２と合わせ部３を交差し、係止部２aと係止部３aを固定し装着することを特徴とし、かつその固定した交差部がおんぶ時に背負う人Ｂの胸部を隠す事を特徴とするする育児用防寒具である。
【発明の効果】
【０００９】
本発明の育児用防寒具は従来の育児用防寒具の解決すべき課題を極めて簡潔な構造で解決し改善したものである。
請求項１記載の発明によれば、本体１上部に肩帯２と本体１中部に合わせ部３を本体１と一体となるよう上向きに角度をつけて裁断して設け、左右の肩帯２と合わせ部３を交差し、係止部２aと係止部３aを交差した内側と外側の２箇所で固定し装着する構造により、図２が示すよう本発明をおんぶ時に着用した場合、固定した交差部により背負う人Ｂの胸部を隠すことができる。
【００１０】
本発明は図２と図７と図９のように異なる使用目的で兼用することができる。
また、本体１のみで異なった使用目的で兼用できることから、複数の防寒具を購入する必要がなく、非常に経済的であり、外出時の荷物の軽減と保管スペースの削減につながる。
装着方法は共通であり、角度をつけて裁断して設けた肩帯２と合わせ部３を交差した内側と外側の２箇所で固定することで、肩部や固定部にかかる負荷を分散する。
以上のことからも本発明は育児中の親にとってきわめて好都合の育児用防寒具として高く評価されるものになると予想される。
【発明を実施するための最良の形態】
【００１１】
請求項１記載の発明の形態を図１に示す。
本体１は左右対称の一枚の布であり、本体１上部に肩帯２と本体１中部に合わせ部３を本体１と一体となるよう上向きに角度をつけて裁断して設ける。
本体１は布であるが、例えばビニールやレザーなどでも良い。但しこれに限定されるものではなく、要するに服地として使用できるものであればよい。
肩帯２と合わせ部３は上向きに角度をつけて裁断されているが、着用する人の体型等により角度は変化する。
【００１２】
係止部２aと係止部３aは、例えばボタン類、ファスナー類、紐などでも良い。但しこれに限定されるものではなく、要するに係止できるものであればよい。
図１０のフード１４と止め紐１２を無くし、本体１と一体となるよう裁断された肩帯２と合わせ部３を設けた簡潔な構造のため、絡まり難く洗濯等の日常の手入れが簡易で清潔な状態を保つことが容易であり、小さく収納することが可能となった。
【００１３】
図２から図４が示すおんぶ時の着用は、本体１を幼児Ａの背中に当て、背負う人Ｂの胸元で左右の肩帯２と合わせ部３を交差させ係止部２aと係止部３aで固定することにより交差部が背負う人Ｂの胸部を隠す。
【００１４】
胸元で左右の肩帯２と合わせ部３を交差して係止部２aと係止部３aを固定するので着脱の手順が少なく容易になる。
角度をつけて裁断した、幅の広い肩帯２を設けたことにより肩への食い込みを防ぐことができる。
【００１５】
また、仮に先に着用したおんぶ紐が腹部で止め紐を結び固定する構造の場合でも、その結び目が合わせ部３の内側になるため引っ掛かりを防ぐことができる。
【００１６】
請求項１記載の発明を抱っこ時に着用する場合、体前面で左右の肩帯２と合わせ部３を交差し係止部２aと係止部３aで固定した後、交差部を抱っこする人Ｃの背中に回し、肩帯２を抱っこする人Ｃの肩に掛け、図７のように背中中心に交差部をもってくる。
【００１７】
本体１上部に肩帯２と本体１中部に合わせ部３を本体１と一体となるよう上向きに角度をつけて左右対称に裁断し、交差して固定することにより、背負う人Ｂおよび抱っこする人Ｃの体にフィットし、腕も動かしやすく、図３と図５が示すように幼児Ａと背負う人Ｂおよび抱っこする人Ｃが一体となって本体１に包み込まれるため密着度が増し、防寒機能が高くなり、使用しやすい位置にポケット７を設けることができる。
【００１８】
さらに、図１０のフード１４を無くし、体にフィットする構造を用いたため、おんぶ時や抱っこ時に本体１の上からママコート等を着用することができ、さらに防寒機能を高め、幼児Ａの体温調節が容易にできる。
幼児Ａがおんぶ時や抱っこ時に眠ってしまっても、本体１と一体となるよう肩帯２が裁断されているため、幼児Ａの頭部を面でささえることができる。
【００１９】
図８と図９が示すように、請求項１記載の発明をベビーカーに装着した場合、本体１をベビーカー前方のセーフティガード１０に掛け、肩帯２を押し手８の内側から後方に回し、合わせ部３を押し手８の外側から後方に回し、座面９後方で交差させ係止部２aと係止部３aを図９のように固定する。
【００２０】
ベビーカー前方のセーフティガード１０の上から本体１を掛け、座面９後方で固定することで、本体１が幼児Ａの体を覆い幼児Ａの体が前方に飛び出すことを防ぐ。また、本体１と幼児Ａの間に空間ができるため幼児Ａの足に本体１が絡まり難く、図９のように肩帯２を押し手８の内側から回し、合わせ部３を押し手８の外側から回し、座面９後方で交差させ係止部２aと係止部３aを固定するためずり落ち難い。
【００２１】
本体１中心下部は、合わせ部３を上向きに角度をつけて裁断した際もっとも長くなっているため、幼児Ａの足を包むように内側に折り曲げ防寒機能を高めることができたり、本体１下部をセーフティガード１０の上に持ち上げる等することにより、ベビーカーに装着したままで幼児Ａの体温調節をすることが可能である。
【００２２】
本体１に図１に示すよう係止部４、保護部材５、分離手段６を設けた場合、抱っこ時に図６が示すよう分離手段６が大きく開閉するため着脱が容易となり、保護部材５と係止部４が幼児Ａの頭部に分離手段６が当たるのを防ぐため安全に使用でき、ベビーカー乗車時に分離手段６を開閉することにより本体１をベビーカーに装着したまま幼児Ａの乗降を行うことができる。
【図面の簡単な説明】
【００２３】
【図１】本発明の平面図
【図２】本発明のおんぶ時着用状態を示す正面図
【図３】本発明のおんぶ時着用状態を示す斜視図
【図４】本発明のおんぶ時着用状態を示す背面図
【図５】本発明の抱っこ時着用状態を示す斜視図
【図６】本発明の抱っこ時着用状態で分離手段を全開にした正面図
【図７】本発明の抱っこ時着用状態を示す背面図
【図８】本発明のベビーカー装着状態を示す斜視図
【図９】本発明のベビーカー装着状態を示す背面図
【図１０】従来のおんぶ用防寒具の平面図
【図１１】従来のおんぶ用防寒具着用状態を示す正面図
【図１２】従来の抱っこ用防寒具着用状態を示す斜視図
【図１３】従来のベビーカー用防寒具装着状態を示す斜視図
【符号の説明】
【００２４】
１;本体
２;肩帯
２a;係止部
３;合わせ部
３a;係止部
４;係止部
５;保護部材
６;分離手段
７;ポケット
８;押し手
９;座面
１０;セーフティガード
１１;本体
１２;止め紐
１３;くぐし輪
１４;フード
１５;ポケット
１６;本体
１７;本体
Ａ;幼児
Ｂ;背負う人
Ｃ;抱っこする人
【手続補正書】
【提出日】平成21年8月4日(2009.8.4)
【手続補正１】
【補正対象書類名】特許請求の範囲
【補正対象項目名】請求項１
【補正方法】変更
【補正の内容】
【請求項１】
本体１は左右対称の布であり、本体１上部に上向きに角度をつけた短く幅の広い肩帯２と、本体１下部と本体１中部を上向きに角度をつけて延長した肩帯２より長く幅の広い合わせ部３を本体１と一体となるよう裁断して設け、左右の肩帯２と合わせ部３を交差し、係止部２aと係止部３aを固定して装着し、おんぶ時にはその交差した固定部が背負う人Ｂの胸部および腹部を隠すことを特徴とする育児用防寒具。
【手続補正２】
【補正対象書類名】明細書
【補正対象項目名】０００８
【補正方法】変更
【補正の内容】
【０００８】
以上の課題を解決するために、本発明の請求項１記載の本体１は左右対称の布であり、本体１上部に上向きに角度をつけた短く幅の広い肩帯２と、本体１下部と本体１中部を上向きに角度をつけて延長した肩帯２より長く幅の広い合わせ部３を本体１と一体となるよう裁断して設け、左右の肩帯２と合わせ部３を交差し、係止部２aと係止部３aを固定して装着し、おんぶ時にはその交差した固定部が背負う人Ｂの胸部および腹部を隠すことを特徴とする育児用防寒具である。
【手続補正３】
【補正対象書類名】明細書
【補正対象項目名】０００９
【補正方法】変更
【補正の内容】
【０００９】
本発明の育児用防寒具は従来の育児用防寒具の解決すべき課題を極めて簡潔な構造で解決し改善したものである。
請求項１記載の発明によれば、本体１は左右対称であり、本体１上部に上向きに角度をつけた短く幅の広い肩帯２と、本体１下部と本体１中部を上向きに角度をつけて延長した肩帯２より長く幅の広い合わせ部３を本体１と一体となるよう裁断して設け、左右の肩帯２と合わせ部３を交差した内側と外側の２箇所で固定し装着することにより、図２が示すよう本発明をおんぶ時に着用した場合、交差した固定部で背負う人Ｂの胸部および腹部を隠すことができる。
【手続補正４】
【補正対象書類名】明細書
【補正対象項目名】００１１
【補正方法】変更
【補正の内容】
【００１１】
請求項１記載の発明の形態を図１に示す。
本体１は左右対称の一枚の布であり、、本体１上部に上向きに角度をつけた短く幅の広い肩帯２と、本体１下部と本体１中部を上向きに角度をつけて延長した肩帯２より長く幅の広い合わせ部３を本体１と一体となるよう裁断して設ける。
本体１は布であるが、例えばビニールやレザーなどでも良い。但しこれに限定されるものではなく、要するに服地として使用できるものであればよい。
肩帯２と合わせ部３は上向きに角度をつけて裁断されているが、着用する人の体型等により角度は変化する。